(57)【要約】【課題】オフセット印刷機で、最適な湿し水の供給量は、湿し水を調製する前の水の成分で異なる。本発明は、湿し水を調製する前の水の成分が異なる場合でも、最適な湿し水の供給量を維持する湿し水供給装置の提供。【解決手段】水供給部１により供給される、水に含まれる成分を水質処理部５で変更し、水質処理部１をバイパスするバイパス経路１０と、Ｈ液及び水を所定の比率で混合して湿し水を調製する湿し水調製部１１を通して湿し水供給部１９から印刷機に供給する。湿し水制御部２４は、湿し水調製部１１に供給される水が水質処理部５を経由して供給されるか、バイパス経路１０を経由して供給されるかによって湿し水供給部１９から印刷機に供給する湿し水の供給量を変更する。【選択図】図１
2012196769.tif 000002
【特許請求の範囲】
【請求項１】
原水を供給する水供給部と、
前記水に含まれる成分を変更する水質処理部と、
前記水質処理部をバイパスするバイパス経路と、
Ｈ液及び水を所定の比率で混合して湿し水を調製し、必要に応じて調製した湿し水を供給する湿し水調製部と、
前記湿し水調製部から送られてくる湿し水を印刷機に供給する湿し水供給部と、
前記湿し水供給部を制御して印刷機に供給する湿し水の供給量を制御する湿し水制御部と、
前記水が、前記水質処理部を通過するか又は前記バイパス経路を通過するかを切替える水経路切替部と、
前記水経路切替部を制御する経路制御部とを備えた湿し水供給装置において、
前記湿し水制御部は、前記湿し水調製部に供給される水が水質処理部を経由して供給されるか、バイパス経路を経由して供給されるかによって湿し水供給部から印刷機に供給する湿し水の供給量を変更することを特徴とする湿し水供給装置。
【請求項２】
前記水質処理部は、逆浸透膜を含む純水化処理部を含む請求項１に記載の湿し水供給装置。
【請求項３】
前記湿し水制御部は、少なくとも第１及び第２の湿し水の供給量を設定可能なプリセット値設定手段を備えており、前記経路制御部による経路切替に連動して、前記水が前記水質処理部を通過する場合に前記第１の湿し水供給量のプリセット値を使用し、前記水が前記バイパス経路を通過する場合に前記第２の湿し水供給量のプリセット値を使用する請求項１又は請求項２に記載の湿し水供給装置。
【請求項４】
前記第１のプリセット値又は前記第２のプリセット値は、印刷機の印刷速度に応じて前記湿し水の供給量が変化するように設定された請求項３に記載の湿し水供給装置。
【請求項５】
前記湿し水制御部は、前記水経路切替部によって前記水の経路が切替えられた後時間遅れで湿し水の供給量を変更する請求項１に記載の湿し水供給装置。
【請求項６】
前記バイパス経路は、水を濾過するフィルタを備えている請求項１に記載の湿し水の供給装置。
【発明の詳細な説明】
【技術分野】
【０００１】
本発明は、新聞などを印刷する印刷機に使用して有用な湿し水供給装置に関する。
【背景技術】
【０００２】
新聞などを印刷する印刷機は、オフセット印刷方式が用いられている。オフセット印刷方式は、湿し水とインキの性質を巧みに利用する。従って、オフセット印刷方式において、安定した印刷結果を得るには、湿し水の適切な制御が重要である。
印刷機で使用する湿し水は、水とＨ液とを混合して調製する。水は、原水としての水道水や工業用水を必要に応じて軟水化したものである。Ｈ液は、専門業者から濃縮液の状態で購入する。印刷機に供給する湿し水は、Ｈ液を水によって３０倍から５００倍に希釈したものである。湿し水は、印刷工場できめた手順に従って濃度と印刷機への供給量が管理され、維持される（特許文献１）。湿し水供給装置は、水とＨ液を混合して所定の濃度の湿し水を調製し、必要な量の湿し水を印刷機に供給する機能がある。
【０００３】
従来より水は、必要に応じて軟水化した後に使用するようになっている。しかし、軟水化しただけであると、季節や気候によって原水に含まれる不純物の成分の量が変動する。そこで、より安定した水を得るために、水に含まれる不純物を純水製造装置などを使用して取り除く案が提案されている。特許文献１には、水が、蒸留水や純水のときに、添加物の成分を異ならせる技術が開示されている。
【０００４】
印刷機に供給する湿し水の量（単位時間あたりの供給量）には、最適な値が存在する。しかし、湿し水の供給量の決定は、特定の印刷機に限定したとしても、印刷機の印刷速度、印刷用紙、画像の画線部の割合、インキの種類など、多岐にわたり、一様ではない。湿し水の供給量が不足すると、非画線部にインキが付着する地汚れが発生し、湿し水の供給量が多すぎると、インキの過乳化や濃度不足が発生する。印刷機のオペレータは、さまざまな要素を考慮して、湿し水の供給量を決定する。そうではあっても、基本的な湿し水の供給量は、例えば印刷速度などによって基本量を決めることができる。特許文献２には、印刷速度の変化によって湿し水の供給量を最適に設定する（プリセットする）技術が開示されている。
【０００５】
この湿し水の供給量の基本量は、「プリセット値」として、印刷機の湿し水の制御を行う操作パネルで設定と選択が可能になっている。印刷機のオペレータは、最初に印刷条件に従って湿し水の供給量のプリセット値を選択し、次に実際に印刷を行いながら、そのプリセット値に対して湿し水の供給量の増減の操作を行う。
【０００６】
プリセット値は、印刷の実績や経験に基づいて設定するが、重要な設定である。プリセット値が、適切な値に設定されていると、湿し水の供給量の設定を短時間で終わらせることが可能となり、印刷機の調整段階で使用する損紙（商品にしないで廃棄する印刷用紙）を減らすことが可能となる。
【０００７】
印刷機における湿し水供給量の設定の再現性をよくするには、水の成分を安定させることが効果的である。湿し水供給量の再現性がよければ、湿し水供給量の調整のために使用する損紙は最小限で済む。水の成分を安定化させるには、水に含まれる水以外の成分を除去して安定化するのがよい。特許文献１には、水として蒸留水、純水、超純水及びイオン交換水とした場合の添加物の成分を変化させる技術が開示されている。ただし、一般に水の成分を調整しようとすると、水の経路に複雑な成分調整機構を設けなければならない。湿し水は、印刷にとっては、不可欠の要素であるから、供給停止がないようにしなければならない。そのため、成分調整機構に障害が発生した場合に、成分調整機構をバイパスして、水の供給停止を避けるようにしている。特許文献３には、成分調整機構に故障が発生したときに、水の流量を確保するバイパス経路を備えた純水製造装置が開示されている。バイパス経路は、故障した成分調機構をバイパスするように設けられる。
【先行技術文献】
【特許文献】
【０００８】
【特許文献１】特開２００２−３４７３６３
【特許文献２】特開平１０−２９７７４６
【特許文献３】特開平１０−６６９７１
【発明の概要】
【発明が解決しようとする課題】
【０００９】
従来の湿し水供給装置は、印刷機に供給する湿し水の供給量の基本量を設定するプリセット値の設定があるが、水の成分に対応する設定はできなかった。
本発明は、水の成分の違いによる印刷結果に差が生じない湿し水供給装置を実現しようとするものである。
本発明は、水の成分が異なる場合に、水の成分に応じた湿し水の供給量とする湿し水供給装置を実現するものである。
【課題を解決するための手段】
【００１０】
上記課題を解決するために、本発明の湿し水供給装置は、水を供給する水供給部と、前記水に含まれる成分を変更する水質処理部と、前記水質処理部をバイパスするバイパス経路と、Ｈ液及び水を所定の比率で混合して湿し水を調製し、必要に応じて調製した湿し水を供給する湿し水調製部と、前記湿し水調製部から送られてくる湿し水を印刷機に供給する湿し水供給部と、前記湿し水供給部を制御して印刷機に供給する湿し水の供給量を制御する湿し水制御部と、前記水が、前記水質処理部を通過するか又は前記バイパス経路を通過するかを切替える水経路切替部と、前記水経路切替部を制御する経路制御部とを備えた湿し水供給装置において、前記湿し水制御部は、前記湿し水調製部に供給される水が水質処理部を経由して供給されるか、バイパス経路を経由して供給されるかによって湿し水供給部から印刷機に供給する湿し水の供給量を変更することを特徴とする。
【００１１】
さらに、前記水質処理部は、逆浸透膜を含む純水化処理部を含む湿し水供給装置としたものである。
【００１２】
さらに、前記湿し水制御部は、少なくとも第１及び第２の湿し水の供給量を設定可能なプリセット値設定手段を備えており、前記経路制御部による経路切替に連動して、前記水が前記水質処理部を通過する場合に前記第１の湿し水供給量のプリセット値を使用し、前記水が前記バイパス経路を通過する場合に前記第２の湿し水供給量のプリセット値を使用する湿し水供給装置としたものである。
【００１３】
さらには、前記第１のプリセット値又は前記第２のプリセット値は、印刷機の印刷速度に応じて前記湿し水の供給量が変化するように設定された湿し水供給装置としたものである。
【００１４】
さらに、前記湿し水制御部は、前記水経路切替部によって前記水の経路が切替えられた後時間遅れで湿し水の供給量を変更する湿し水供給装置としたものである。
【００１５】
また、前記バイパス経路は、水を濾過するフィルタを備えている湿し水の供給装置としたものである。
【発明の効果】
【００１６】
本発明によれば、水質処理部を備えた湿し水供給装置であって、水の成分の違いによる印刷結果に差が生じない湿し水供給装置を実現しようとするものである。すなわち、水質処理部が何らかの原因で水を通過させることができなくなり、水質処理部をバイパスした水が湿し水調製部に供給される場合でも、印刷機には最適な湿し水の量が供給される。そのため、湿し水の供給量の調整に要する損紙を最小限にすることが可能である。
【００１７】
また、水質処理部としては、逆浸透膜を利用した純水化処理部とすることにより、水が水質処理部を通過する限り極めて安定した水の水質とすることができる。また、湿し水制御部は、水の通過経路によって湿し水の供給量を切替える場合に、条件によって予め設定した湿し水の供給量が設定されるようにプリセット値を使用するようにしたため、容易に湿し水の供給量の切替が可能である。また、任意のプリセット値は、印刷機の印刷速度に応じて湿し水の供給量が変化するようにしたため、印刷機では湿し水過剰又は湿し水不足が起こらない。また、湿し水制御部は、水の切替が行われた後に、時間遅れで湿し水の供給量を変化させるようにした。そのため、水の経路が切り替わった時点で、経路切替部と湿し水供給部及び湿し水供給部から印刷機の版胴に至る間に存在する切替前の水の影響を少なくすることができる。また、バイパス経路にフィルタを設けると、水質処理部が機能しない場合でも、ある程度の清浄な水を得ることが可能である。
【図面の簡単な説明】
【００１８】
【図１】図１は、第１の実施の形態の全体を示す構成図である。
【図２】図２は、プリセット値の例を示す図である。
【図３】図３は、第２の実施の形態の構成図である。
【発明を実施するための形態】
【００１９】
図１は、本発明の第１の実施の形態の全体構成を示す。１は、水供給部である。原水は、供給パイプ２から所定の水圧をもって供給される。
３は、軟水化装置である。軟水化装置３は、本発明の構成要素には不可欠ではないが、供給パイプ２に供給される原水を軟水化するために、イオン交換樹脂などを設けるとよい。５は水質処理部である。水質処理部は、バルブ９、逆浸透膜６、中間タンク７及び送出ポンプ８から構成される。バルブ９は、水質処理部５に流入する水を開閉する。逆浸透膜６と中間タンク７は、純水化処理部を構成する。逆浸透膜６は、水の中の不純物を高度に除去する。中間タンク７は、逆浸透膜６から送出される純水を一時的に保管する。ポンプ８は、必要に応じて中間タンク７から純水化した水を送出する。なお、水質処理部５は、水を濾過するために、逆浸透膜６の前に、例えば、図示しない活性炭濾過部を備えていて良い。
【００２０】
１０は、バイパス経路である。バイパス経路１０は、水供給部１から供給される水が、水質処理部５を通過しないときにパイパスするように設けられている。
１１は、湿し水調製部である。１２はＨ液タンクである。１３は混合器である。１４は、湿し水タンクである。１５は、混合制御回路である。１６は、レベルセンサである。１７は、導入バルブである。１８は、湿し水送出ポンプである。レベルセンサ１６は、湿し水タンク１４の中の湿し水のレベルを検出する。混合制御回路１５は、レベルセンサ１６の検出結果に基づいて、導入バルブ１７を制御する。混合制御回路１５は、湿し水タンク１４の中の湿し水の量が、所定の範囲にあるように、導入バルブ１７を制御する。混合器１３は、混合器１３を通過する水の量に応じて、予め設定した濃度になるようにＨ液タンク１２からＨ液を吸い上げ、水に混合する。混合器１３は、完成品として、ＤＯＳＡＴＯＲＯＮ（商品名）として、ＤＯＳＡＴＲＯＮ  ＩＮＴＥＲＮＡＴＩＯＮＡＬ社から購入可能である。その結果、湿し水タンク１４には、所定の濃度の湿し水が確保される。送出ポンプ１８は、湿し水タンク１４から湿し水を所定の圧力で送出する。
【００２１】
１９は湿し水供給部である。湿し水供給部１９は、複数のスプレーノズル２０と、スプレーノズル２０を駆動する駆動回路２３を含んでいる。湿し水供給部１９は、回転する水元ローラ２１にスプレーノズル２０から湿し水をスプレーして供給する。２２はスプレーである。水元ローラ２１は、ほぼ印刷物と同じ長さのローラであり、スプレーノズル２０は水元ローラ２１の長手方向に沿って、例えば８個並んでいる。スプレーノズル２０には、送出ポンプ１８から、常に所定の圧力で湿し水が供給される。スプレーノズル２０は、駆動回路２３によって駆動される図示しない開閉電磁バルブを含んでいる。開閉電磁バルブの動作は、スプレーノズル２０から湿し水がスプレーされる時間を決定する。駆動回路２３は、スプレーノズル２０の開閉電磁バルブを駆動して、スプレーノズル２０から湿し水がスプレーされるようにする。
【００２２】
２４は、湿し水制御部である。湿し水制御部２４は、駆動回路２３を制御する。その結果、湿し水制御部２４は、印刷機に供給する湿し水の量を制御する。
【００２３】
２５は水経路切替部である。水経路切替部２５は、バルブ２６とバルブ２７の２つのバルブを含んでいる。バルブ２６は、バイパス経路１０と湿し水調製部１１の間にあって、バイパス経路１０を通過した水の開閉を行う。バルブ２７は、水質処理部５と湿し水調製部１１の間にあって、水質処理部５を通過した水の開閉を行う。
【００２４】
２８は経路制御部である。経路制御部２８は、水経路切替部２５のバルブ２６、２７の開閉を制御する。経路制御部２８は、バルブ２６かバルブ２７のどちらかを選択的に開く。経路制御部２８は、通常の状態では、水が水質処理部５を通過するようにバルブ２６と閉じ、バルブ２７を開いている。しかし、湿し水タンク１４の湿し水の量が、所定のレベルより低下し、レベルが回復しない場合など、水質処理部５に異常があると判断した場合は、水経路切替部２５のバルブを切替える。
【００２５】
２９は、湿し水制御部２４に対して湿し水の量を設定するプリセット値設定手段である。湿し水制御部２４は、経路制御部２８で水の経路が切替えられたときに、プリセット値設定手段２９に設定されたプリセット値に従って、スプレーノズル２０からスプレーされる湿し水の供給量を変更する。このことにより、水の成分に応じて、印刷機に供給する湿し水の供給量を最適にすることができる。なお、設定手段２９に設定する湿し水の供給量は、印刷を開始する前に、オペレータが設定する。このことにより、水の経路の切替が起こったときに、最小限の損紙あるいは損紙を出すことなく最適な湿し水の供給量の設定が可能となる。
【００２６】
プリセット値設定手段２９は、いくつかのプリセット値を設定可能になっているのが望ましいが、少なくとも、水経路切替部２５のバルブ２７が開いているときの第１のプリセット値を設定するデータエリア３０と、バルブ２６が開いているときの第２のプリセット値を設定するデータエリア３１を備えていることが望ましい。
【００２７】
印刷速度Ｓに対して湿し水供給量Ｆの関係を図１および図２を参照しながら説明する。
図１において、印刷機本体３４からは、湿し水制御部２４に向けて印刷速度に応じた印刷速度信号が出力される。湿し水制御部２４は、印刷速度に応じて、プリセット値に従って湿し水の供給量を決定する。図２において、横軸は印刷機３４の印刷速度Ｓ、縦軸は湿し水供給量Ｆを示している。実際のプリセット値は、印刷機のオペレータが決定する。仮に第１のプリセット値が３２とすれば、第２のプリセット値は３３である。双方のプリセット値は、特定の印刷速度Ｓに対して湿し水供給量Ｆが決まる。
プリセット値は、印刷速度Ｓに対して湿し水供給量Ｆが決まればよい。従って、プリセット値設定手段９に設定するプリセット値は、表形式でもよく、又は、関数表現でもよい。
【００２８】
水経路切替部２５は、水質処理部５の異常が検出された場合は、速やかにバイパス経路１０への切替が行われる。それにともない、第１のプリセット値３２から第２のプリセット値３３への切替が行われてよい。しかし、厳密には、水経路が切り替わっても、湿し水タンク１４からスプレーノズル２０を経由し、版胴に到達するまでの間は、切替前の水によって調製された湿し水が残留している。そのため、水経路切替部２５が動作した後、時間遅れで図２に示す第１のプリセット値３２から第２のプリセット値への切替が行われるようにしてもよい。この時間遅れの程度は、実際の印刷結果を見ながら設定するとよい。
【００２９】
図３は、本発明の第２の実施の形態の構成を示す。バイパス経路１０は、バイパス経路１０を通過する水を濾過するフィルタ３５を備えることができる。フィルタ３５は、例えば活性炭を使用したフィルタや珪藻土のフィルタを使用することができる。バイパス経路１０は、水質処理部５に障害が生じた場合に、緊急時に使用するものであるから、信頼性の高いものが適している。
【符号の説明】
【００３０】
１    水供給部
５    水質処理部
１０  バイパス経路
１１  湿し水調製部
１９  湿し水供給部
２４  湿し水制御部
２５  水経路切替部
２８  経路制御部
【図１】
2012196769.tif 000003
【図２】
2012196769.tif 000004
【図３】
2012196769.tif 000005